(57)【要約】【課題】和紙の風合いを活かしながら、耐候性、防汚性、防水性や耐久性に優れ、生産工程においてはミシンによる縫製が可能な引裂き強度を有し、服飾品等に製品化した後は、雨等の水分に強く、また日常使用に耐える素材として丈夫で軽量な、新規なシート状積層部材及びその製造方法を提供する。【解決手段】シート状積層部材は、皮革層と接着層と和紙層とからなり、皮革層と和紙層とを接着層を介在してシート状に積層させたシート状積層部材であって、和紙層は、樹脂が浸透している和紙層であることを特徴とする、シート状積層部材である。【選択図】  図１
2017149003.tif 000002
【特許請求の範囲】
【請求項１】
皮革層と接着層と和紙層とからなり、皮革層と和紙層とを接着層を介在してシート状に積層させたシート状積層部材であって、和紙層は、樹脂が浸透している和紙層であることを特徴とする、シート状積層部材。
【請求項２】
請求項１記載のシート状積層部材において、和紙層に浸透している樹脂は、液状ウレタン樹脂であることを特徴とする、シート状積層部材。
【請求項３】
皮革シートと和紙シートとを接着剤にて接着させて、皮革層、接着層及び和紙層からなるシート状部材を形成し、次いで、皮革層と接着していない面である和紙層の表面に液状の樹脂を塗布して和紙層に該樹脂を含浸させて乾燥させることにより、シート状積層部材を製造することを特徴とする、シート状積層部材の製造方法。
【請求項４】
請求項３記載のシート状積層部材の製造方法において、和紙層に塗布して含浸させる樹脂はウレタン樹脂であることを特徴とする、シート状積層部材の製造方法。
【発明の詳細な説明】
【技術分野】
【０００１】
本発明は、新規なシート状積層部材及びその製造方法に関し、特に、特殊な加工を施した和紙を表層とする多用途に活用することが可能な、新規なシート状積層部材及びその製造方法に関する。
【背景技術】
【０００２】
従来より和紙は、障子やふすまなどの建材や、団扇や扇子、その他あらゆる分野で「日本らしさ」を表現する材料として幅広く活用されている。
【０００３】
また近年、従来より原料として用いられてきたパルプ材と合わせて、ポリプロピレンなどの合成繊維を含有し、引裂き強度などを強化した和紙含有材料が建材などで用いられるようになり、かかる強化された和紙含有材料のバッグも市場で販売されている。
【０００４】
例えば、和紙を用いた部材としては、特開２００２−６７２３０号公報（特許文献１）には、シート状部材であって、シート本体部であって、透明又は半透明のシート状の樹脂から形成された樹脂層と、該樹脂層に接着された和紙層であって、和紙により形成された和紙層と、を有するシート本体部と、該シート本体部の和紙層に接着された突板部であって、所定の形状に形成された突板からなる突板部と、を有することを特徴とするシート状部材が記載されている。
【０００５】
また、特開２００４−２８５５８２号公報（特許文献２）シート状部材であって、樹脂によりシート状に形成されている樹脂層と、該樹脂層の一方の面に設けられている表側層で、該樹脂層の一方の面に設けられた第１和紙層で、和紙により形成されている第１和紙層と、該第１和紙層の該樹脂層が設けられている面とは反対側の面に設けられている第１コート層と、を有する表側層と、該樹脂層の他方の面に設けられている裏側層で、該樹脂層の他方の面に設けられた第２和紙層で、和紙により形成されている第２和紙層と、該第２和紙層の該樹脂層が設けられている面とは反対側の面に設けられている第２コート層で、該第１コート層の厚み以下の厚みを有する第２コート層と、を有する裏側層と、を有することを特徴とするシート状部材が記載されている。
【０００６】
しかし、従来の和紙を含む材料は、和紙の特徴として挙げられる吸水性、吸湿性および繊維の毛羽立ちは合成繊維を含有したことによる強化では解決されず、特に身につけて外出することがあるバッグや靴などの服飾製品の原料としては適応し難い状況である。
【０００７】
また、和紙の表面に強化フィルムなどを貼り合わせる手法では、和紙が有するしなやかな風合いが損なわれてしまう。
【０００８】
また、服飾小物としてのバッグに対する要望として耐久性、防水性の観点から強度、防水効果が長期間継続する材料が望まれている。
【先行技術文献】
【特許文献】
【０００９】
【特許文献１】特開２００２−６７２３０号公報
【特許文献２】特開２００４−２８５５８２号公報
【発明の概要】
【発明が解決しようとする課題】
【００１０】
本発明の目的は、上記課題を解決して、和紙の風合いを活かしながら、耐候性、防汚性、防水性や耐久性に優れ、生産工程においてはミシンによる縫製が可能な引裂き強度を有し、服飾品等に製品化した後は、雨等の水分に強く、また日常使用に耐える素材として丈夫で軽量な、皮革と同等以上の信頼性と汎用性で使用し得る新規なシート状積層部材及びその製造方法を提供することである。
【課題を解決するための手段】
【００１１】
上記課題を解決するため、本発明の新規なシート状積層部材及びその製造方法は、以下の技術的特徴を有する。
（１）本発明のシート状積層部材は、皮革層と接着層と和紙層とからなり、皮革層と和紙層とを接着層を介在してシート状に積層させたシート状積層部材であって、和紙層は、樹脂が浸透している和紙層であることを特徴とする。
（２）上記（１）に記載のシート状積層部材において、和紙層に浸透している樹脂は、液状ウレタン樹脂であることを特徴とする。
（３）本発明のシート状積層部材の製造方法は、皮革シートと和紙シートとを接着剤にて接着させて、皮革層、接着層及び和紙層からなるシート状部材を形成し、次いで、皮革層と接着していない面である和紙層の表面に液状の樹脂を塗布して和紙層に該樹脂を含浸させて乾燥させることにより、シート状積層部材を製造することを特徴とする。
（４）上記（３）に記載のシート状積層部材の製造方法において、和紙層に塗布して含浸させる樹脂はウレタン樹脂であることを特徴とする。
【発明の効果】
【００１２】
本発明のシート状積層部材及びその製造方法によれば、日本の伝統技術である和紙の風合いを残しながらも皮革材料にも近い独特の風合いを醸し出しているとともに、毛羽立ちを抑え、柔軟性を有するためミシン等による加工性にも優れ、高い防水性を備えることが可能となる。
また、本発明のシート状積層部材を用いて服飾品等の製品を製造するにあたり通常、皮革材料や合成皮革、人工皮革、また布帛を用いて製品を作成する際に必要となる裏処理や裏貼りがシート材の段階で加工済みであるため不要であり、製品の軽量化に貢献するとともに、工程数を減らすことができ、各生産現場において、作業効率を上げることができる。
【００１３】
さらに、上記の防水性と強度を備えながら、皮革材料と比べて軽量であり、特にバッグ類等の服飾品の製品化においても、使用者の負担を軽減する。
更に、本発明のシート状積層部材は、皮革材料と比べて形状がシート状であるため、本発明のシート状積層部材を用いた製品を製造する際に、裁断時の不要部分を概ね縮小することができる。これにより、高級素材であり生物系の素材である皮革を使用する場合と比べて、無駄が少なく、価格を抑えることにも貢献する。
【図面の簡単な説明】
【００１４】
【図１】本発明のシート状積層部材の一例の構成を示す図であり、(ａ)は斜視図、（ｂ）は（ａ）のシート材の断面図である。
【図２】本発明のシート状積層部材を用いて裁断する際の使用状態を示す説明図である。
【図３】従来の皮革材料を用いて裁断する際の使用状態を示す説明図である。
【発明を実施するための形態】
【００１５】
本発明を図面を参照しながら説明する。
図１に示すように、
本発明のシート状積層部材（Ａ）は、皮革層（３）と接着層（２）と和紙層（１）とからなり、皮革層と和紙層とを接着層を介在してシート状に積層させたシート状積層部材であって、和紙層は、樹脂が浸透している和紙層である、シート状積層部材である。
【００１６】
図１に示すように、シート状積層部材（Ａ）は、皮革層（３）と接着層（２）と和紙層（１）とが接着層を介して、一体となったシート状の部材である。
皮革層（３）としては、任意の皮革シートを使用することができ、天然の皮革シートや人工の皮革シートを用いることができる。
本発明のシート状積層部材（Ａ）を用いてバッグ等の服飾品を製造する際には、かかる皮革層である皮革シートは、表面側としても裏面側としても用いることができるが、和紙の風合いを生かした製品を製造する際には、裏面層（３）として用いられる。
【００１７】
皮革層（３）と和紙層（１）とは、接着層（２）を介して接着されている。
かかる接着層を構成する接着剤としては、皮革と和紙とを接着、バッグ等の服飾品を製造した際に、バッグ等として通所使用することができる程度の強度を有することができれば任意の市場で入手し得る接着剤を用いることが可能である。
【００１８】
例えば、接着層に使用する接着剤としては、好適に、２液架橋型のアクリル系粘着剤を例示することができ、その成分は主剤となる酢酸エチル・トルエンと、硬化剤として酢酸エチルとが配合されているものである。
【００１９】
和紙層（１）は、任意の市場で入手しうる和紙シートを用いることができるが、好ましくは和紙層１を構成する和紙シートは、パルプとともにＥＳＣ（ポリエチレン・ポリプロピレン複合繊維）を含有することが望ましい。このような和紙を用いることで、引裂き強度を増すとともに水による溶解も防ぎ、ミシンでの縫合も優れることとなる。
【００２０】
かかる和紙層１には、液体状の樹脂４を塗布して浸透させる加工を施す。
これにより和紙の繊維に、液状の樹脂が染み込むことで、しなやかな和紙の風合いを保持しつつ、強い防水性を発揮し、和紙の性質である毛羽立ちや吸水性を抑え、さらに樹脂成分を吸収したことにより、和紙の耐久性を高めることが可能となる。
【００２１】
このシート状部材において表側層である和紙層に浸透させる液体状の樹脂は、皮革材料、特にエナメル革の表面加工に用いられるウレタン樹脂を使用しており、和紙であり、その風合いを残しながらも皮革材料にも近い独特の風合いを醸し出している。
【００２２】
和紙層に浸透させる液状の樹脂としては、好適には、ウレタン樹脂を用いることができ、例えばウレタンポリオール、イソシアネート樹脂等を例示することができる。
和紙シートへ、かかる液状の樹脂を浸透させるために塗布する際には、ウレタン樹脂等の液状の樹脂の他、必要に応じて、和紙への浸透率を調整するため、シンナー系溶剤を含有することも可能である。
【００２３】
本発明のシート状積層部材（Ａ）を用いてバッグ等の服飾品を製造する際には、かかる和紙層は、表面側としても裏面側としても用いることができるが、和紙の風合いを生かした製品を製造する際には、表面側の層として好適に用いられる。
【００２４】
本発明のシート状積層部材を製造方法は、皮革シートと和紙シートとを接着剤にて接着させて、皮革層、接着層及び和紙層からなるシート状部材を形成し、次いで、皮革層と接着していない面である和紙層の表面に液状の樹脂を塗布して（図１（ｂ））和紙層に該樹脂を含浸させて乾燥させることにより、シート状積層部材を製造する方法を採用することができる。
【００２５】
和紙層の表面に液状の樹脂を塗布する手段としては、刷毛塗りや噴霧等、均一に液状樹脂を塗布することができれば、その手段は特に限定されない。
また、和紙層に樹脂を塗布した直後、又は必要に応じて一定時間保持することで、液状の樹脂が和紙シートに含浸し、その後、和紙表面より液状樹脂が乾燥することにより、本発明のシート状積層部材を得ることができる。
かかる乾燥は、温風を吹きかけても、室温で放置することによっても、乾燥することができれば特に限定されない。
【００２６】
このようにして得られた本発明のシート状積層部材は、例えば、本発明のシート状積層部材でバッグを製造した際に、バッグ本体と把手とをＪＩＳ  Ｌ  １０９３Ａ−１法（縫目水平法）で縫製し、ＪＩＳ  Ｌ  １０９６  Ａ法に準じて測定した把手の強度（取り付け強度）が、２１０Ｎ程度となる強度を有することができ、バッグ等に製品化した場合にも通常の使用に十分な強度を有することが可能となる。
【００２７】
また、本発明のシート状積層部材を、ＪＩＳ  Ｌ  １０９６  Ｄ法（ペンジュラム法）に準じて測定した引裂き強さは、１４．２〜１１．１Ｎ程度となる引裂き強度を有することができ、バッグ等に製品化した場合にも通常の使用に十分な引裂き強度を有することが可能である。
【００２８】
更に、本発明のシート状積層部材を、ＱＴＥＣセロテープ法にて毛羽付着試験（級）を実施したところ、「５」の評価を得ることができ、これにより十分な毛羽立ち防止性能を有していることがわかる。
【００２９】
本発明のシート状積層部材はシート状であるため、図２及び図３に示すように、皮革材料と比べて、本発明のシート状積層部材を用いた製品を製造する際に、裁断時の不要部分を概ね縮小することができるものとなる。これにより、無駄な部分を排出することが少なくなり、したがって製品価格を抑えることが可能となる。
【産業上の利用可能性】
【００３０】
本発明のシート状積層部材は。日本の伝統技術である、和紙に加工を施して耐候性、防汚性、防水性や耐久性に優れており、バッグ、靴、ベルトなどの服飾製品をはじめ、衣料材料他、多様な生産分野において、皮革の代替製品として広く利用することが可能である。
【符号の説明】
【００３１】
Ａ・・・シート状石造部材
１・・・和紙層（和紙シート）
２・・・接着層（接着剤）
３・・・皮革層（皮革シート）
４・・・液状の樹脂
【図１】
2017149003.tif 000003
【図２】
2017149003.tif 000004
【図３】
2017149003.tif 000005